(57)【要約】【課題】ワークを効率的に乾燥させることができると共に、汎用性に優れる塗装乾燥装置を提供すること。【解決手段】誘導加熱源１を、第１誘導加熱部１０と、第１誘導加熱部１０に等速ジョイントアウター７０を介して対向配置される第２誘導加熱部１１とで構成する。第１誘導加熱部１０および第２誘導加熱部１１の夫々を、電動シリンダ３０,３１からなる移動機構３で互いの対向方向に進退可能に構成する。【選択図】図１
2013228149.tif 000002
【特許請求の範囲】
【請求項１】
塗料が塗装されたワークの周囲に部分的に配置された誘導加熱源と、
上記誘導加熱源を上記ワークに対して相対的に接離させる移動機構と
を備えることを特徴とする塗装乾燥装置。
【請求項２】
請求項１に記載の塗装乾燥装置において、
上記ワークに対向するように配置される送風口を有する送風装置を備え、
上記誘導加熱源と、上記送風口とは、上記ワークの周囲を取り囲むように配置されていることを特徴とする塗装乾燥装置。
【請求項３】
請求項２に記載の塗装乾燥装置において、
上記送風口から熱風が吐出することを特徴とする塗装乾燥装置。
【請求項４】
請求項１乃至３のいずれか一項に記載の塗装乾燥装置において、
上記誘導加熱源は、
上記第１誘導加熱部と、
上記第１誘導加熱部に上記ワークを介して対向するように配置される第２誘導加熱部と
を有することを特徴とする塗装乾燥装置。
【請求項５】
請求項１乃至４のいずれか一項に記載の塗装乾燥装置において、
上記ワークの温度を測定するための放射温度計を備え、
上記誘導加熱源と、上記放射温度計とは、上記ワークの周囲を取り囲むように配置されていることを特徴とする塗装乾燥装置。
【請求項６】
請求項５に記載の塗装乾燥装置において、
上記放射温度計からの信号に基づいて、上記塗料の温度が予め定められた温度になるように上記誘導加熱源の駆動を制御する制御手段を備えることを特徴とする塗装乾燥装置。
【発明の詳細な説明】
【技術分野】
【０００１】
本発明は、ワークに塗装された塗料を乾燥させるための塗装乾燥装置に関し、例えば、等速ジョイントのアウター等に塗装された塗料を乾燥させるのに使用すれば好適な塗装乾燥装置に関する。
【背景技術】
【０００２】
従来、ワークの乾燥装置としては、特開２００９−３６３８９号公報（特許文献１）に記載された水洗されたホイールの乾燥装置がある。この乾燥装置は、第１誘導加熱部と、第２誘導加熱部とを備え、第１誘導加熱部は、ホイールの第１端面に対向するように配置される一方、第２誘導加熱部は、ホイールの第２端面に対向するように配置されている。
【０００３】
上記第１誘導加熱部は、上記第２誘導加熱部に対する相対位置が変動しないようになっている。この乾燥装置は、ホイールを挟み込むように配置された第１および第２誘導加熱部によって、ホイール内により均一に渦電流を発生させるようにして、その電流に起因するジュール熱でホイールを熱して、ホイール表面の水分を効率的に蒸発させるようになっている。
【先行技術文献】
【特許文献】
【０００４】
【特許文献１】特開２００９−３６３８９号公報
【発明の概要】
【発明が解決しようとする課題】
【０００５】
しかしながら、上記従来の乾燥装置では、上記第１誘導加熱部と、上記第２誘導加熱部との距離が、不変であるから、ワークが大きさや形状が多様な場合、それら多様なワークの全てに適用することができず、汎用性に乏しいという問題がある。
【０００６】
そこで、本発明の課題は、ワークを効率的に乾燥させることができると共に、汎用性に優れる塗装乾燥装置を提供することにある。
【課題を解決するための手段】
【０００７】
上記課題を解決するため、この発明の塗装乾燥装置は、
塗料が塗装されたワークの周囲に部分的に配置された誘導加熱源と、
上記誘導加熱源を上記ワークに対して相対的に接離させる移動機構と
を備えることを特徴としている。
【０００８】
本発明によれば、誘導加熱源を備えて、誘導加熱（ＩＨ：induction heating）によってワークを内部から乾燥するようになっているから、熱容量が大きなワークであっても、効率的に塗料の乾燥を行うことができる。
【０００９】
また、本発明によれば、誘導加熱源をワークに対して相対的に接離する移動機構を備えるから、ワークの大きさや形状に基づいて誘導加熱源をワーク毎に適切な位置に移動させることができて、多様なワークの乾燥に使用できる。したがって、塗装乾燥装置の汎用性を飛躍的に向上させることができる。
【００１０】
また、一実施形態では、
上記ワークに対向するように配置される送風口を有する送風装置を備え、
上記誘導加熱源と、上記送風口とは、上記ワークの周囲を取り囲むように配置されている。
【００１１】
上記実施形態によれば、誘導加熱源が、塗料が塗装されたワークの周囲に部分的に配置され、誘導加熱源および送風口が、ワークの周囲を取り囲むように配置されるから、送風口からの風を、ワークに直接かつ効率的に衝突させることができる。したがって、誘導加熱源によって熱せられたワークの塗料から蒸発した蒸気を、送風口から吐出される風によってワークから遠方に効率的に飛散させることができるから、ワークの周辺の蒸気の蒸気圧を低くできて、ワークの塗料からの水分の蒸発を促進することができて、より迅速にワークを乾燥させることができる。
【００１２】
また、一実施形態では、
上記送風口から熱風が吐出する。
【００１３】
上記実施形態によれば、送風口から熱風が吐出するから、送風口からの風によってもワークの昇温を行うことができて、ワークをより効率的に乾燥させることができる。
【００１４】
また、一実施形態では
上記誘導加熱源は、
上記第１誘導加熱部と、
上記第１誘導加熱部に上記ワークを介して対向するように配置される第２誘導加熱部と
を有する。
【００１５】
上記実施形態によれば、誘導加熱源を構成する第１誘導加熱部および第２誘導加熱部が、ワークを介して対向配置されるから、ワークにおけるワークを取り囲む方向の熱量の付与のバラツキを抑制できて、ワークをより効率的に乾燥させることができる。
【００１６】
また、上記実施形態によれば、誘導加熱源を構成する第１誘導加熱部および第２誘導加熱部が、ワークを介して対向配置されるから、ワークを第１誘導加熱部と第２誘導加熱部とを結んだ線分に垂直な方向に容易に移動させることができて、ワークの搬送を容易に行うことができる。
【００１７】
また、一実施形態では、
上記ワークの温度を測定するための放射温度計を備え、
上記誘導加熱源と、上記放射温度計とは、上記ワークの周囲を取り囲むように配置されている。
【００１８】
上記実施形態によれば、誘導加熱源が、塗料が塗装されたワークの周囲に部分的に配置されて、誘導加熱源および放射温度計が、ワークの周囲を取り囲むように配置されるから、ワークの温度を監視することができて、ワークの温度が塗料にふさわしくない温度になること等を防止できる。
【００１９】
また、一実施形態では、
上記放射温度計からの信号に基づいて、上記塗料の温度が予め定められた温度になるように上記誘導加熱源の駆動を制御する制御手段を備える。
【００２０】
尚、上記定められた温度は、一点の温度であっても良く、温度範囲（上限と下限とを有する温度領域）であっても良い。
【００２１】
上記実施形態によれば、制御手段によって、誘導加熱源の駆動を、塗料の温度が予め定められた温度になるように制御できるから、フィードバック制御を行うことができるから、塗装温度を、塗装の劣化がおこない好適な温度に制御することができる。したがって、ワークの塗料の外観品質を優れたものにすることができる。
【発明の効果】
【００２２】
本発明によれば、ワークを効率的に乾燥させることができて汎用性に優れる塗装乾燥装置を実現することができる。
【図面の簡単な説明】
【００２３】
【図１】本発明の一実施形態の塗装乾燥装置の側面図である。
【図２】上記塗装乾燥装置の上面図である。
【図３】第１誘導加熱部、第２誘導加熱部およびワークを示す斜視図である。
【図４】本塗装乾燥装置の制御装置のブロック図である。
【発明を実施するための形態】
【００２４】
以下、本発明を図示の形態により詳細に説明する。
【００２５】
図１は、本発明の一実施形態の塗装乾燥装置の側面図である。
【００２６】
この塗装乾燥装置は、ワークの一例としてのＣＶＪアウター（等速ジョイントのアウター）（以下、単にワークという）７０に塗装された塗料を乾燥させるようになっている。図１に示すように、この塗装乾燥装置は、誘導加熱源１と、回転テーブル２と、移動機構３と、送風装置４と、放射温度計と、制御手段としての制御装置とを備え、誘導加熱源１は、第１誘導加熱部１０と、第２誘導加熱部１１とを有する。
【００２７】
上記第１および第２誘導加熱部１０,１１の夫々は、後述するように、フラットコイルを有し、磁束がそのフラットコイルの巻線の軸方向の一方側である前方側のみに略生成されるようになっている。上記第１誘導加熱部１０の前方側と、第２誘導加熱部１１の前方側とは、一方向に対向している。
【００２８】
上記回転テーブル２は、円板状のワーク載置台２０と、モータ２１とを有し、ワーク載置台２０のワーク載置面２３は、円形の平面からなり、鉛直方向の上方を向いている。上記ワーク載置台２０は、第１誘導加熱部１０と、第２誘導加熱部１１とを結ぶ線分を略垂直に二等分する箇所に存在している。上記ワーク載置台２０の下方の面の中央には、モータ２１の回転軸２４が接続されている。上記ワーク載置台２０の軸方向は、モータ２１の回転軸２４の軸方向に一致している。上記ワーク載置台２０は、モータによって図１に矢印Ａで示す方向に回転可能になっている。
【００２９】
上記移動機構３は、第１電動シリンダ３０と、第２電動シリンダ３１とを有する。図１に示すように、この塗装乾燥装置は、Ｌ字状の第１取付板５０を有し、第１取付板５０は、鉛直方向に延在する第１板部と、水平方向に延在する第２板部とを有する。上記第２板部は、第１板部の鉛直方向下方側の端部の後方側の表面から延在している。上記第１誘導加熱部１０の後方側の面は、第１取付板５０の第１板部における前方側の面にボルト９０,９１によって固定されている。また、上記第１電動シリンダ３０の上面は、上記第２板部の鉛直方向下方側の面に固定されている。上記第１電動シリンダ３０は、第１誘導加熱部１０に対して相対移動不可になっている。尚、上記第２電動シリンダ３１も、第１電動シリンダ３０と同一の構造によって、第２取付板５１を介して第２誘導加熱部１１に対して相対移動不可になっている。
【００３０】
上記第１電動シリンダ３０は、第１誘導加熱部１０を、図１に矢印Ｂで示す第１および第２誘導加熱部１０,１１の対向方向である一方向上を、回転テーブル２に対して接離自在に移動させるようになっている。また、上記第２電動シリンダ３１は、第２誘導加熱部１１を、図１に矢印Ｃで示す第１および第２誘導加熱部１０,１１の対向方向である一方向上を、回転テーブル２に対して接離自在に移動させるようになっている。
【００３１】
上記第１および第２誘導加熱部１０,１１は、第１および第２電動シリンダ３０,３１によって、回転テーブル２が第１および第２誘導加熱部１０,１１を接続する線分の垂直二等分線上に常に位置するように、連動して移動するようになっている。
【００３２】
上記送風装置４は、周知のブロワーからなり、羽根車の回転運動によって空気を圧送して送風口から吐出するようになっている。図１に示すように、上記送風装置４の送風口は、鉛直方向に延在している。このようにして、鉛直方向に延在しているワーク７０の塗装領域の軸方向（延在方向）の全ての存在範囲に風を吹き付けできるようにしている。
【００３３】
図２は、上記塗装乾燥装置の上面図である。
【００３４】
図２に示すように、上記送風装置４は、第１送風口４１と、第２送風口４２とを有し、第１送風口４１は、第２誘導加熱部１１に対して第２誘導加熱部１１の移動方向に垂直な方向の一方側に位置する一方、第２送風口４２は、第２誘導加熱部１１に対して第２誘導加熱部１１の移動方向に垂直な方向の他方側に位置している。上記第１送風口４１および第２送風口４２の夫々は、第１誘導加熱部１０と第２誘導加熱部１１との間に向けられ、また、ワーク７０の側面に向けられている。この塗装乾燥装置は、このようにして、第１送風口４１および第２送風口４２からの風で蒸発した蒸気をワーク７０の周辺から除去できるようになっている。また、この塗装乾燥装置は、このようにして、第１および第２誘導加熱部１０,１１の誘導加熱によるワーク７０の乾燥と、第１誘導加熱部１０と第２誘導加熱部１１との隙間からの風の吹き付けによるワーク７０の乾燥との同時乾燥を実現するようにしている。
【００３５】
また、図２に示すように、この塗装乾燥装置は、放射温度計５を備え、放射温度計５の輻射エネルギー計測方向は、第１誘導加熱部１０と第２誘導加熱部１１との間に向けられ、また、ワーク７０の側面に向けられている。図２に示すように、第１誘導加熱部１０、第２誘導加熱部１１、第１送風口４１、第２送風口４２および放射温度計５の輻射エネルギー測定部は、ワーク７０の周囲を取り囲むように、互いに間隔をおいて配置されている。
【００３６】
図３は、第１誘導加熱部１０、第２誘導加熱部１１およびワーク７０を示す斜視図である。
【００３７】
図３に示すように、上記第１誘導加熱部１０は、第２誘導加熱部１１と同一である。上記第１誘導加熱部１０は、フェライトコア８０と、トラック状の巻線からなるフラットコイル８１とを有する。上記フェライトコア８０は、断面コ字状の樋形状の本体部と、三つの円筒部とを有し、各円筒部は、本体部の底における幅方向（樋の延在方向に垂直な方向）の略中央部から本体部の開口側に樋の深さ方向に突出している。上記三つの円筒部は、樋の延在方向に互いに間隔をおいて位置している。上記フェライトコア８０は、本体部の延在方向の外方側（鉛直方向の上方側または下方側）から見たときにＥ型の形状をしている。上記フェライトコア８０は、積層鋼板等のフェライトコアが形成可能な周知の材料で形成されている。
【００３８】
上記フラットコイル８１は、上記三つの円筒部を取り囲むように上記三つの円筒部に巻き付けられた後、樹脂でモールドされ、上記三つの円筒部に取り付けられている。上記第１誘導加熱部１０の円筒部の先端と、第２誘導加熱部１１の円筒部の先端とは、上記円筒部の延在方向に対向している。上記第１誘導加熱部１０と、第２誘導加熱部１１との間には、第１誘導加熱部１０および第２誘導加熱部１１に挟まれるように、ワーク７０が存在している。また、乾燥が行われているワーク７０の軸方向は、鉛直方向に一致している。
【００３９】
上記フェライトコア８０は、フラットコイル８１の前方側以外の両側面および後方側を覆って、磁束が前方側のみに効率良く生成されるようにして、フラットコイル８１の前方側に位置するワーク７０の塗料の水分を蒸発できる誘導加熱を実現するようにしている。
【００４０】
図４は、本塗装乾燥装置の制御装置６０のブロック図である。
【００４１】
この制御装置６０は、ＣＰＵを備え、ＣＰＵは、予め記憶されたプログラムや将来的に記憶されるプログラムに基づいて、演算処理を行う。上記制御装置６０は、ＩＨ制御部６１と、電動シリンダ制御部６２と、送風装置制御部６３と、テーブル制御部６４と、タイマ６５とを有する。この塗装乾燥装置は、操作部８を有し、操作部８で、回転テーブル２と、第１および第２誘導加熱部１０,１１との距離や、塗料の乾燥温度を設定できるようになっている。
【００４２】
詳しくは、この塗装乾燥装置では、ユーザは、塗装を乾燥させるワークの大きさに基づいて、操作部８を用いて、回転テーブル２と、第１および第２誘導加熱部１０,１１との距離を入力できるようになっている。また、電動シリンダ制御部６２は、操作部８からの上記距離を表す信号を受けると、回転テーブル２と、第１および第２誘導加熱部１０,１１との距離が、上記入力された距離になるように、電動シリンダ３０,３１を駆動するようになっている。この塗装乾燥装置では、このようにして、回転テーブル２上のワーク７０のワーク径（ワークの径違いの複数型番）に合わせて第１および第２誘導加熱部１０,１１が前後方向に移動するようになっている。
【００４３】
また、この塗装乾燥装置では、ユーザが、塗料の乾燥温度を入力すると、放射温度計５からの温度を表す信号を受けたＩＨ電源制御部６１が、ワーク７０の塗料の温度が入力温度よりも低い場合に、ＩＨ電源６６に電力を供給する一方、ワーク７０の塗料の温度が入力温度以上の場合に、ＩＨ電源６６に電力を供給しないようになっている。このようにして、フィードバックによる自動制御を行って、ワーク７０の塗料の温度が入力温度に保たれるようにしている。この塗装乾燥装置は、このようにして、塗装温度を精密に監視することにより、塗装の外観品質を良好なものにしている。
【００４４】
また、この塗装乾燥装置では、ユーザは、乾燥時間を入力できるようになっている。上記テーブル制御部６４は、塗装の乾燥が始まると、テーブル用モータ６７を駆動するようになっている一方、タイマ６５による計測が、入力された乾燥時間に到達するとテーブル用モータ６７を停止するようになっている。このようにして、ワーク７０を回転させることにより、ワーク７０の外周面に塗装された塗料をワーク７０の外周面の位置の位相によらず効率良く乾燥させるようになっている。また、上記送風装置制御部６３は、塗装の乾燥が始まると、送風装置４を駆動するようになっている一方、タイマ６５による計測が、入力された乾燥時間に到達すると送風装置４を停止するようになっている。
【００４５】
上記実施形態によれば、誘導加熱源１を備えて、誘導加熱（ＩＨ：induction heating）によってワークの一例としてのワーク７０を内部から乾燥するようになっているから、熱容量が大きなワーク７０であっても、効率的に塗料の乾燥を行うことができる。
【００４６】
また、上記実施形態によれば、誘導加熱源１をワーク７０に対して相対的に接離する移動機構３を備えるから、ワーク７０の大きさや形状に基づいて誘導加熱源１をワーク７０の型番毎に適切な位置に移動させることができて、多様なワーク７０の乾燥に使用できる。したがって、塗装乾燥装置の汎用性を飛躍的に向上させることができる。
【００４７】
また、上記実施形態によれば、誘導加熱源１が、塗料が塗装されたワーク７０の周囲に部分的に配置され、誘導加熱源１および送風口４１,４２が、ワーク７０の周囲を取り囲むように配置されるから、送風口４１,４２からの風を、ワーク７０に直接かつ効率的に吹き付けることができる。したがって、誘導加熱源１によって熱せられたワーク７０の塗料から蒸発した蒸気を、送風口４１,４２から吐出される風によってワーク７０から遠方に効率的に飛散させることができるから、ワーク７０の周辺の蒸気の蒸気圧を低くできて、ワーク７０の塗料からの水分の蒸発を促進することができて、より迅速にワーク７０を乾燥させることができる。
【００４８】
また、上記実施形態によれば、誘導加熱源１を構成する第１誘導加熱部１０および第２誘導加熱部１１が、ワーク７０を介して対向配置されるから、ワーク７０におけるワーク７０を取り囲む方向の熱量の付与のバラツキを抑制できて、ワーク７０をより効率的に乾燥させることができる。
【００４９】
また、上記実施形態によれば、誘導加熱源１を構成する第１誘導加熱部１０および第２誘導加熱部１１が、ワーク７０を介して対向配置されるから、ワーク７０を第１誘導加熱部１０と第２誘導加熱部１１とを結んだ線分に垂直な方向に容易に移動させることができて、ワーク７０の搬送を容易に行うことができる。
【００５０】
また、上記実施形態によれば、誘導加熱源１が、塗料が塗装されたワーク７０の周囲に部分的に配置されて、誘導加熱源１および放射温度計５が、ワーク７０の周囲を取り囲むように配置されるから、ワーク７０の温度を監視することができて、ワーク７０の温度が塗料にふさわしくない温度になること等を防止できる。
【００５１】
また、上記実施形態によれば、制御装置６０によって、放射温度計５からの信号に基づいて、塗料の温度が予め定められた温度になるように誘導加熱源１の駆動を制御できて、フィードバック制御を行うことができる。したがって、塗装温度を、塗装の劣化がおこない好適な温度に制御することができて、ワーク７０の塗料の外観品質を優れたものにすることができる。
【００５２】
以上、上記実施形態によれば、第１誘導加熱部１０と、第２誘導加熱部１１との間からの風で乾燥できるので、誘導加熱による乾燥と、風の吹き付けによる乾燥とを同時に行うことができて、その相乗効果で乾燥時間を大幅に短縮できる。また、第１誘導加熱部１０と、第２誘導加熱部１１とが可動で、エアエアギャップ距離を変えられるから、ワークであるワーク７０のワーク径が変わっても、ワークと、第１および第２誘導加熱部１０,１１との距離を同程度にすることができて、装置の汎用性を向上することができる。
【００５３】
尚、上記実施形態では、第１誘導加熱部１０と、第２誘導加熱部１１とが連動して移動し、回転テーブル２が、第１誘導加熱部１０と、第２誘導加熱部１１とを結んだ線分の垂直二等分線上に常に存在するようになっていたが、この発明では、回転テーブルが、第１誘導加熱部と、第２誘導加熱部とを結んだ線分の垂直二等分線上に常に存在しない構成であっても良い。
【００５４】
また、上記実施形態では、第１誘導加熱部１０と、第２誘導加熱部１１とを、回転テーブル２を挟むように、回転テーブル２の周方向に互いに１８０度の位相差を有するように配置したが、この発明では、第１誘導加熱部と、第２誘導加熱部とを、回転テーブルの周方向に互いに１８０度以外の角度の位相差を有するように配置しても良い。
【００５５】
また、上記実施形態では、誘導加熱源１が、互いに間隔をおいて位置する第１誘導加熱部１０と第２誘導加熱部１１とからなっていたが、この発明では、誘導加熱源は、一のみの誘導加熱部からなっていても良く、また、互いに間隔をおいて位置する３以上の誘導加熱部からなっていても良い。
【００５６】
また、上記実施形態では、互いに間隔をおいて位置する二つの送風口４１,４２を有していたが、この発明では、送風口は、一つしかなくても良く、また、互いに間隔をおいて位置する三以上の送風口を有していても良い。
【００５７】
また、上記実施形態は、放射温度計５を有していたが、この発明は、放射温度計を有していなくても良い。
【００５８】
また、上記実施形態は、送風装置４を有していたが、この発明は、送風装置を有していなくても良い。
【００５９】
また、上記実施形態では、送風口４１,４２から外気温度と略同一の温度の風が吐出されるようになっていたが、この発明では、羽根車からの風の流れの下流側にヒータ等を配置して外気温度と略同一の温度の風を熱風にして、一以上存在する送風口からワークに熱風を吹き出しても良く、このようにすると、ワークをより効率的に乾燥させることができる。
【００６０】
また、上記実施形態では、第１誘導加熱部１０と、第２誘導加熱部１１とが、電動シリンダ３０,３１で移動可能になっていたが、この発明では、誘導加熱源は、エアシリンダ、油圧シリンダ等の電動シリンダ以外の周知の機構で、移動可能になっていても良い。
【００６１】
また、上記実施形態では、各誘導加熱部１０,１１が、一体型のフェライトコア８０を有していたが、この発明では、一以上の誘導加熱部のうちの少なくとも一の誘導加熱部のフェライトコアは、複数のフェライトコアを鉛直方向（各フェライトコアのコ字状の端面の法線方向に対応）に載置して形成されても良い。例えば、図３に示す、三つの円筒部を有するフェライトコアであれば、円筒部を一つのみ有するＥ型のフェライトコアを鉛直方向に三つ積み上げて形成しても良く、また、円筒部を二つ有する一体側のＥ型のフェライトコアと、円筒部を一つのみ有するＥ型のフェライトコアとを、鉛直方向に積み上げて形成しても良い。
【００６２】
また、上記実施形態では、各誘導加熱部１０,１１のフェライトコア８０は、円筒部を三つ有していたが、この発明では、一以上の誘導加熱部のうちの少なくとも一の誘導加熱部のフェライトコアは、１、２または４以上の円筒部を有していても良い。また、この場合、例えば、円筒部を一つのみ有するＥ型のフェライトコアを鉛直方向（各フェライトコアのコ字状の端面の法線方向に対応）に１、２または４以上積み上げることにより、１、２または４以上の円筒部を有するフェライトコアを作成することができるが、このようにすると、ワークのサイズに合わせて、効率的に昇温できてエネルギー損失が少ないフェライトコアを簡易に形成できて、好ましい。
【００６３】
また、上記実施形態において、ワークを、例えば、第１誘導加熱部と第２誘導加熱部とを結んだ線分を二等分する位置等の所定の位置に配置する方法としては、ワークを載置する回転テーブルを、電動シリンダ等の進退機構で移動可能にして、ワークを載置した回転テーブルを、所定の位置に移動する方法がある。
【００６４】
また、第１誘導加熱部と第２誘導加熱部とを結んだ線分を二等分する位置等の所定の位置に移動不可に固定されている回転テーブル上に、塗装工程等の乾燥工程とは別の工程が終了したワークを、爪またはコレットによってチャック本体に締め付けて固定した後、ワークを、第１誘導加熱部と第２誘導加熱部とを結んだ線分を二等分する位置等の所定の位置に移動不可に固定されている回転テーブル上に載置し、その後、ワークを、爪またはコレットから開放する方法がある。
【００６５】
また、鉛直方向の上方を向いたベルト上に載置したワークを、ベルトを移動させることにより所定の位置に配置する方法がある。また、ワークを、第１誘導加熱部と第２誘導加熱部とを結んだ線分を二等分する位置等の所定の位置に移動不可に固定されている回転テーブル上に、人によって載置する方法がある。
【００６６】
また、上記実施形態において、入力できる温度は、一点の温度であっても良く、温度範囲（上限と下限とを有する温度領域）であっても良い。
【００６７】
また、上記実施形態では、ワークが、渦電流が流れる部分が金属の等速ジョイントのアウターであったが、この発明では、ワークは、渦電流が流れる部分が金属等の導電性を有する材料からなる製品であれば、等速ジョイントのアウターに限らず如何なる製品であっても良い。
【符号の説明】
【００６８】
１  誘導加熱源
３  移動機構
４  送風装置
１０  第１誘導加熱部
１１  第２誘導加熱部
３０  第１電動シリンダ
３１  第２電動シリンダ
４１  第１送風口
４２  第２送風口
６０  制御装置
７０  ワーク
【図１】
2013228149.tif 000003
【図２】
2013228149.tif 000004
【図３】
2013228149.tif 000005
【図４】
2013228149.tif 000006